(57)【要約】【課題】  ベッド等のボトムにおいて、プレス成形により製造するものでは、寸法の異なったものや、上記凹部等のパターンを異ならせたものをバリエーションとして製造する場合においては、それらの種類毎にプレス型が必要であるため、制約が多く、また必要な強度を確保するために重量が重くなる傾向にある。また従来のすのこ状ボトムでは、すのこ板上の通気性は考慮していない。【解決手段】  そこで本発明では、複数のすのこ板７を間隔をおいて支持部材８により支持した構成のすのこ状ボトムにおいて、すのこ板は、横断面形状において、表面側の辺に凹凸１０を形成した扁平筒体として構成したすのこ状ボトムを提案している。【選択図】    図３
2005349016.tif 000002
【特許請求の範囲】
【請求項１】
複数のすのこ板を間隔をおいて支持部材により支持した構成のすのこ状ボトムにおいて、すのこ板は、横断面形状において、表面側の辺に凹凸を形成した扁平筒体として構成したことを特徴とするベッド等の仰臥台におけるすのこ状ボトム
【請求項２】
複数のすのこ板を間隔をおいて支持部材により支持した構成のすのこ状ボトムにおいて、すのこ板は、横断面形状において、表面側の辺に凹凸を形成すると共に、この辺の一端に表面側への突出部を形成した扁平筒体として構成したことを特徴とするベッド等の仰臥台におけるすのこ状ボトム
【請求項３】
扁平筒体は、アルミニウムの押出し材として構成したことを特徴とする請求項１又は２に記載のベッド等の仰臥台におけるすのこ状ボトム
【請求項４】
扁平筒体内にリブを形成したことを特徴とする請求項１〜３までのいずれか１項に記載のベッド等の仰臥台におけるすのこ状ボトム
【発明の詳細な説明】
【技術分野】
【０００１】
本発明は、ベッド等の仰臥台におけるすのこ状ボトムに関するものである。
【背景技術】
【０００２】
従来、ベッドやストレッチャー等の仰臥台におけるボトムとしては、例えば特許文献１に示されるように、鋼板のプレス成形により形成して、表面に多数の凹部を設けたものや、特許文献２に示されるように、複数のすのこ板を間隔をおいて支持部材により支持した構成のすのこ状ボトム等がある。
【特許文献１】実開昭６０−１３０７６１号公報
【特許文献２】特開昭６２−２６６０１０号公報
【発明の開示】
【発明が解決しようとする課題】
【０００３】
特許文献１に示すようにプレス成形によりボトムを製造するものでは、例えば幅の標準的なものから、狭いものや広いものというように、寸法の異なったものをバリエーションとして製造する場合や、上記凹部等のパターンを異ならせたものをバリエーションとして製造する場合においては、それらの種類毎にプレス型が必要であるため、制約が多く、また必要な強度を確保するために重量が重くなる傾向にある。
【０００４】
一方、複数のすのこ板を間隔をおいて支持部材により支持した構成の従来のすのこ状ボトムでは、上記特許文献２に示されるように、すのこ板の表面側は単なる平面に形成されており、すのこ板間の隙間の部分を通しての通気性は確保できるものの、すのこ板の部分における通気性の確保は想定していない。
そこで本発明は、以上の課題を解決することを目的とするものである。
【課題を解決するための手段】
【０００５】
上述した課題を解決するために、本発明では、複数のすのこ板を間隔をおいて支持部材により支持した構成のすのこ状ボトムにおいて、すのこ板は、横断面形状において、表面側の辺に凹凸を形成した扁平筒体として構成したベッド等の仰臥台におけるすのこ状ボトムを提案する。
【０００６】
また本発明では、複数のすのこ板を間隔をおいて支持部材により支持した構成のすのこ状ボトムにおいて、ベッド等の仰臥台の長手方向の端部に対応するボトムのすのこ板は、横断面形状において、表面側の辺に凹凸を形成すると共に、この辺の一端に表面側への突出部を形成した扁平筒体として構成したベッド等の仰臥台におけるすのこ状ボトムを提案する。
【０００７】
また本発明では、以上の構成において、扁平筒体は、アルミニウムの押出し材として構成することを提案する。
【０００８】
更に本発明では、以上の構成において、扁平筒体内にリブを形成することを提案する。
【発明の効果】
【０００９】
本発明のすのこ状ボトムでは、すのこ板の表面側に、すのこ板の長さ方向に沿った溝が形成されているので、意匠性を高くすると共に、すのこ板上においても通気性を確保することができる。従って、本発明のすのこ状ボトムでは、すのこ板間の隙間の部分を通しての通気性と相俟って、非常に通気性を良くすることができる。
【００１０】
また本発明において、すのこ板を構成する扁平筒体をアルミニウムの押出し材として構成した場合には、断面形状を適切に設計することにより、軽量で必要な強度を得ることができ、ボトム、延いてはベッド等の仰臥台の軽量化を図ることができると共に、長さを容易に変更できるため、異なる幅のボトムを構成することも容易である。
【００１１】
また必要に応じて扁平筒体内にリブを形成することも容易であり、これにより強度の更なる増加を図ることができる。
【００１２】
また本発明において、すのこ板を構成する扁平筒体をアルミニウムの押出し材として構成する場合には、上述した溝を容易に形成することができると共に、他の適宜形状、例えば扁平筒体の一端側に突出壁を一体構成することも容易であり、このようなすのこ板は、ベッドの最も足側に対応する部位のすのこ板に用いることにより、突出壁をマットレス止として利用することができ、マットレス止を別途取り付ける必要がなくなる。
【００１３】
更に本発明では、アルミニウムの押出し材として構成することにより、アルミニウム特有の表面仕上げを行うことができ、表面側に形成された凹凸による溝と相俟って意匠性を高めることができる。
【実施例１】
【００１４】
次に本発明の実施例を添付図面を参照して説明する。
図１は本発明に係るすのこ状ボトムを用いたベッドの一例を、ボトムを起伏させた状態において示す説明的斜視図である。
図において符号１はボトムを支持する床支持フレームであり、この床支持フレーム１は基台フレーム２上に回動駆動腕３により昇降可能に支持されている。尚、基台フレーム２に対して床支持フレーム１を昇降させるための機構は周知であるので説明は省略する。
【００１５】
この実施例において、ベッド全体のボトムは分割され、背ボトム４と腰ボトム５と足ボトム６とから構成されており、図に示すような形態に起伏可能に支持されている。このように分割されたボトムを起伏させるための機構も周知であるので詳細な説明は省略する。
【００１６】
図２は、ベッド全体のボトムを平坦にした状態において示す説明的斜視図であり、また図３は足ボトム６のみを示す斜視図、図４は図３の要部拡大図、図５は足ボトムの縦断面図である。
これらの図に示されるように、背ボトム４、腰ボトム５及び足ボトム６は、いずれも複数のすのこ板７を所定の間隔をおいて支持部材８により支持した構成のすのこ状ボトムとして構成している。この実施例においては、各ボトム４、５、６はベッドの長手方向と同方向に配置した２つの溝形状あるいは角パイプ状等の支持部材８上に所定の間隔をおいて複数のすのこ板７を支持している。一方、背ボトム４、腰ボトム５及び足ボトム６における夫々複数のすのこ板７の両端部にはキャップ部材９を被せている。
【００１７】
図６は、すのこ板７を構成する扁平筒体の実施例を示す斜視断面図であり、このすのこ板７は、横断面形状において、表面側の辺に凹凸１０を形成した扁平筒体をアルミニウムの押出し材として形成している。尚、凹凸１０は、図に示すように、波状の曲線的な凹凸とする他、矩形波状の直線的な凹凸とすることもできる。
【００１８】
図７は、すのこ板を構成する扁平筒体の他の実施例を示す斜視断面図であり、このすのこ板７´は足ボトム６の最も端側のすのこ板７´として使用するものであり、すのこ板７と同様に横断面形状において、表面側の辺に凹凸１０を形成すると共に、この辺の一端に表面側への突出部１１を形成した扁平筒体を、アルミニウムの押出し材として構成したものである。このすのこ板７´では、上記辺の突出部１１により、すのこ板７´の一端縁に突出壁１２が構成される。またすのこ板７´は、すのこ板７よりも幅広に構成しており、このため中間部にリブ１３を形成している。
【００１９】
こうして、背ボトム４、腰ボトム５及び足ボトム６を構成するすのこ板７、７´の表面側には、上記凹凸１０により、長さ方向に沿った溝１４が形成されているため、意匠性が高く、また溝１４を通しての通気性を確保することができるため、本発明のすのこ状ボトムでは、すのこ板７間の隙間１１の部分を通しての通気性と相俟って、非常に通気性を良くすることができる。
【００２０】
また、以上に述べたように、この実施例では、すのこ板７はアルミニウムの押出し材として構成するため、断面形状を適切に設計することにより、軽量で必要な強度を得ることができ、ボトム、延いてはベッド等の仰臥台の軽量化を図ることができると共に、長さを容易に変更できるため、異なる幅のボトムを構成することも容易である。
【００２１】
更に、すのこ板７、７´を構成する扁平筒体をアルミニウムの押出し材として構成するため、上述した溝を容易に形成することができると共に、他の適宜の形状、例えば上述したように扁平筒体の一端側に突出壁１２を一体構成することも容易であり、このようなすのこ板７´は、上述したとおりベッドの最も足側に対応する部位に用いることにより、突出壁１２をマットレス止として利用することができ、マットレス止を別途取り付ける必要がなくなる。
【００２２】
更にすのこ板７、７´は、アルミニウムの押出し材として構成することにより、アルミニウム特有の表面仕上げを行うことができ、表面側に形成された凹凸による溝１４と相俟って意匠性を高めることができる。
【００２３】
以上に説明した実施例では、本発明のすのこ状ボトムにおけるすのこ板を構成する扁平筒体はアルミニウムの押出し材として構成しているが、この他、スチールやプラスチックス等で構成することもできる。
【００２４】
また、以上に説明した実施例では、本発明のすのこ状ボトムを使用する仰臥台は、ベッドとしているが、他の適宜の仰臥台に使用できることは勿論である。
【産業上の利用可能性】
【００２５】
本発明は以上の通りであるので、産業上の利用において、次のような利点がある。
１．本発明のすのこ状ボトムでは、すのこ板の表面側に、その長さ方向に沿った溝が形成されているので、意匠性を高くすると共に、従来のすのこ状ボトムでは想定していなかった、すのこ板上における通気性を確保することができ、すのこ板間の隙間の部分を通しての通気性と相俟って、非常に通気性を良くすることができる。
【００２６】
２．すのこ板を構成する扁平筒体をアルミニウムの押出し材として構成した場合には、適切な断面形状の設計により軽量で必要な強度を得ることができ、ボトム、延いてはベッド等の仰臥台の軽量化を図ることができると共に、長さを容易に変更できるため、異なる幅のボトムを構成することも容易である。
【００２７】
３．すのこ板は、必要に応じて扁平筒体内にリブを形成することも容易であり、これにより強度の更なる増加を図ることができる。
【００２８】
４．さらにすのこ板を構成する扁平筒体をアルミニウムの押出し材として構成した場合には、上述した通気性を確保するための溝を容易に形成することができると共に、他の適宜の形状、例えば上述したように扁平筒体の一端側に突出壁を一体構成することも容易であり、このようなすのこ板は、ベッドの最も足側に対応する部位に用いることにより、突出部をマットレス止として利用することができ、マットレス止を別途取り付ける必要がなくなる。
【００２９】
５．更に、すのこ板を構成する扁平筒体は、アルミニウムの押出し材として構成することにより、アルミニウム特有の表面仕上げを行うことができ、意匠性を高めることができる。
【図面の簡単な説明】
【００３０】
【図１】本発明に係るすのこ状ボトムを用いたベッドの一例を、ボトムを起伏させた状態において示す説明的斜視図である。
【図２】ベッド全体のボトムを平坦にした状態において示す説明的斜視図である。
【図３】図２のボトム中の足ボトムのみを示す斜視図である。
【図４】図３の要部拡大図である。
【図５】足ボトムの縦断面図である。
【図６】すのこ板を構成する押出し材の例を示す斜視断面図である。
【図７】すのこ板を構成する押出し材の他の例を示す斜視断面図である。
【符号の説明】
【００３１】
１                床支持フレーム
２                基台フレーム
３                回動駆動腕
４                背ボトム
５                腰ボトム
６                足ボトム
７、７´          すのこ板
８                支持部材
９                キャップ部材
１０              凹凸
１１              突出部
１２              突出壁
１３              リブ
１４              溝
【図１】
2005349016.tif 000003
【図２】
2005349016.tif 000004
【図３】
2005349016.tif 000005
【図４】
2005349016.tif 000006
【図５】
2005349016.tif 000007
【図６】
2005349016.tif 000008
【図７】
2005349016.tif 000009